(57)【要約】【課題】本発明は、複数の管理区画への利用者の入室を管理し、設置コストを軽減させるとともに、スペースの利用効率を向上させることができる通行制御装置を得ることを目的とするものである。【解決手段】通行制御装置本体３は、第１及び第２の電気錠制御部４，５を介して、各電気錠の施錠・解錠を制御し、管理区画の出入口の利用者の入室（通行）を管理している。通行制御装置本体３は、主制御部６、指紋データ読取部７及び指紋データ記憶部８を有している。主制御部６は、通行制御装置本体３の全体を制御する。指紋データ読取部７は、利用者の生体情報としての指紋データを読み取る。また、指紋データ読取部７は、読み取った利用者の指紋データを主制御部６へと送る。指紋データ記憶部８は、管理区画への入室を許可された利用者の指紋データが入室可能な管理区画に対応付けて記憶されている。【選択図】図２
2007077708.tif 000002
【特許請求の範囲】
【請求項１】
利用者の生体情報を読み取るための生体情報読取面における生体情報の読取位置に対応付けて生体情報を登録可能であり、利用者から受けた生体情報に応じて利用者を認証し、生体情報及び読取位置に対応した管理区画への通行を許可する通行制御装置本体
を備えていることを特徴とする通行制御装置。
【請求項２】
生体情報は、利用者の指紋データであり、
上記通行制御装置本体は、指紋データの読取位置が上記生体情報読取面の中心に対して左右のどちらにずれているかに応じて異なる管理区画への通行を許可することを特徴とする請求項１記載の通行制御装置。
【請求項３】
同一の利用者の複数の生体情報を生体情報毎に異なる管理区画に対応付けて登録可能であり、利用者から受けた生体情報に応じて利用者を認証し、生体情報に対応した管理区画への通行を許可する通行制御装置本体
を備えていることを特徴とする通行制御装置。
【請求項４】
生体情報は、利用者の指紋データであり、
上記通行制御装置本体は、読み取った指紋データが利用者の左右のどちらの手の指紋データであるかに応じて異なる管理区画への通行を許可することを特徴とする請求項３記載の通行制御装置。
【発明の詳細な説明】
【技術分野】
【０００１】
この発明は、事前に生体情報を登録した利用者に対して管理区画への通行を許可する通行制御装置に関するものである。
【背景技術】
【０００２】
従来の入退室管理装置は、管理区画の出入口毎に設置された個人識別装置によって利用者を認証することにより、利用者の管理区画への通行を許可し、管理区画の扉に設けられた電気錠の施錠・解錠を制御している（例えば、特許文献１参照）。
【０００３】
【特許文献１】特開２００５−７６３７８号公報
【発明の開示】
【発明が解決しようとする課題】
【０００４】
上記のような従来の入退室管理装置においては、利用者を認証し、管理区画への通行を許可する個人識別装置が管理区画の扉毎に独立して設置されているため、設置コストが高くなるとともに設置場所の確保が必要であった。
【０００５】
この発明は、上記のような課題を解決するためになされたものであり、複数の管理区画への利用者の入室を管理し、設置コストを軽減させるとともに、スペースの利用効率を向上させることができる通行制御装置を得ることを目的とする。
【課題を解決するための手段】
【０００６】
この発明に係る通行制御装置は、利用者の生体情報を読み取るための生体情報読取面における生体情報の読取位置に対応付けて生体情報を登録可能であり、利用者から受けた生体情報に応じて利用者を認証し、生体情報及び読取位置に対応した管理区画への通行を許可する通行制御装置本体を備えている。
【発明の効果】
【０００７】
この発明の通行制御装置は、利用者から読み取った生体情報と生体情報読取面における読取位置とに応じて、利用者の通行許可と利用者の行先の管理区画とを判別し、読取位置に対応する管理区画への利用者の通行を許可するので、１台の通行制御装置本体で複数の管理区画への利用者の通行を管理することができ、設置コストを軽減させるとともに、スペース効率を向上させることができる。
【発明を実施するための最良の形態】
【０００８】
以下、この発明を実施するための最良の形態について、図面を参照して説明する。
実施の形態１．
図１は、この発明の実施の形態１による通行制御装置の設置状態を示す説明図である。
管理区画である部屋１，２は、互いに隣接して配置されている。部屋１の出入口の近傍の部屋１外部には、通行制御装置本体（生体認証装置）３が設置されている。通行制御装置本体３は、部屋１，２への利用者の入室（通行）を管理している。
【０００９】
部屋１，２の出入口の扉には、それぞれ電気錠（図示せず）が取り付けられている。部屋１の電気錠の施錠・解錠は、第１の電気錠制御部４により制御される。部屋２の電気錠の施錠・解錠は、第２の電気錠制御部５により制御される。第１及び第２の電気錠制御部４，５は、それぞれ通行制御装置本体３から電気錠制御信号を受ける。即ち、通行制御装置本体３は、第１及び第２の電気錠制御部４，５を介して、各電気錠の施錠・解錠を制御している。
【００１０】
図２は、図１の通行制御装置本体３の具体的な構成を示すブロック図である。通行制御装置本体３は、主制御部６、指紋データ読取部７及び指紋データ記憶部８を有している。主制御部６は、通行制御装置本体３の全体を制御する。
【００１１】
指紋データ読取部７は、利用者の指紋データを読み取るための生体情報読取面としての読取プレート（図示せず）を有している。読取プレートは、例えば親指２本分の横幅のガラス部材で形成されている。また、読取プレートは、利用者が指紋を読み込ませる目安となる読取基準線が読取プレートの幅方向の中間に描画されている。さらに、指紋データ読取部７は、読取プレートを介して利用者の生体情報としての指紋データを読み取る。さらにまた、指紋データ読取部７は、読み取った利用者の指紋データを主制御部６へと送る。
【００１２】
また、主制御部６は、指紋データ読取部７から受けた利用者の指紋データを解析し、指紋データの特徴点を抽出する。これとともに、主制御部６は、利用者の指紋データから読取プレートにおける読取位置を検出する。指紋データ記憶部８には、部屋１，２への入室を許可された利用者の指紋データが入室可能な管理区画毎に対応付けて記憶（登録）されている。
【００１３】
ここで、利用者が入室可能な管理区画と指紋データ読取時の読取プレートにおける読取位置とは、それぞれ対応している。例えば、読取プレートの中心に対して読取位置が左側にずれている場合、読取位置は部屋１（左側の部屋）に対応している。読取プレートの中心に対して読取位置が右側にずれている場合、読取位置は部屋２（右側の部屋）に対応している。即ち、指紋データ記憶部８には、管理区画への入室を許可された利用者の指紋データが読取プレートの読取位置に対応付けて記憶されている。
【００１４】
さらに、主制御部６は、指紋特徴抽出手段６ａ、指紋照合手段６ｂ、照合結果判定手段６ｃ及び出力切替手段６ｄを含んでいる。指紋特徴抽出手段６ａは、指紋データ読取部７から受けた利用者の指紋データを解析し、指紋データの特徴点を抽出する。さらにまた、指紋特徴抽出手段６ａは、利用者の指紋データから読取プレートにおける読取位置を検出する。また、指紋特徴抽出手段６ａは、読取位置が読取プレートの中央に対して左右どちらにずれているかを判断する。そして、指紋特徴抽出手段６ａは、特徴点の抽出結果と読取プレートの読取位置の判断結果（左又は右）とを指紋照合手段６ｂへと送る。
【００１５】
指紋照合手段６ｂは、指紋特徴抽出手段６ａから受けた読取位置の判断結果（左又は右）に対応する特徴点の抽出結果が指紋データ記憶部８に記憶されているかどうかを照合する。さらに、指紋照合手段６ｂは、照合結果（照合率）を照合結果判定手段６ｃへと送る。さらにまた、指紋照合手段６ｂは、指紋特徴抽出手段６ａから受けた読取位置の判断結果（左又は右）に応じて、利用者の行き先の管理区画（部屋１又は部屋２）を確認する。そして、指紋照合手段６ｂは、読取位置に対応する管理区画に電気錠制御信号を出力するために出力切替手段６ｄへと出力経路決定信号を送る。
【００１６】
照合結果判定手段６ｃは、指紋照合手段６ｂの照合結果に応じて指紋データを読み込ませた利用者の部屋１又は部屋２への入室可否を判定する。即ち、照合結果判定手段６ｃは、指紋照合手段６ｂの照合結果に応じて利用者を認証する。また、照合結果判定手段６ｃは、利用者の入室を許可した場合、電気錠制御信号を出力切替手段６ｄへと送る。
【００１７】
出力切替手段６ｄは、指紋照合手段６ｂから受けた出力経路決定信号に応じて、出力経路を切り替える。さらに、出力切替手段６ｄは、照合結果判定手段６ｃから受けた電気錠制御信号を第１の電気錠制御部４、又は第２の電気錠制御部５へと出力する。即ち、出力切替手段６ｄは、指紋照合手段６ｂにより出力経路を制御され、照合結果判定手段６ｃから受けた電気錠制御信号を、出力経路に応じた第１及び第２の電気錠制御部４，５へと出力する。
【００１８】
ここで、通行制御装置本体３は、演算処理部（ＣＰＵ）、記憶部（ＲＯＭ、ＲＡＭ及びハードディスク等）及び信号入出力部を持ったコンピュータ（図示せず）を有している。通行制御装置本体３のコンピュータ記憶部には、主制御部６の動作を実行するためのプログラムが格納されている。
【００１９】
次に、動作について説明する。図３は、読取位置に対応する管理区画判別時の主制御部６の動作を示すフローチャートである。まず、主制御部６は、指紋データ読取部７から利用者の指紋データを受けると、指紋データの特徴点を抽出するとともに、読取プレートにおける指紋データの読取位置が読取プレートの中央に対して右寄りか左寄りかを判別する（ステップＳ１）。左寄りの場合、主制御部６は、読み取った指紋データの特徴点が部屋１に対応付けて登録されているかどうかを照合する（ステップＳ２）。
【００２０】
照合により指紋データの特徴点を確認しなかった場合、主制御部６は、そのまま動作終了となり、第１及び第２の電気錠制御部４，５に各電気錠の施錠状態を維持させ、利用者の入室を拒絶する。また、照合により指紋データの特徴点を確認した場合、主制御部６は、部屋１（左側の部屋）の利用者の入室を許可し、電気錠制御部４に電気錠制御信号を出力し、部屋１の電気錠を解錠させる（ステップＳ３）。
【００２１】
さらに、読取位置が右寄りの場合、主制御部６は、読み取った指紋データの特徴点が部屋２に対応付けて登録されているかどうかを照合する（ステップＳ４）。照合により指紋データの特徴点を確認しなかった場合、主制御部６は、そのまま動作終了となり、第１及び第２の電気錠制御部４，５に各電気錠の施錠状態を維持させ、利用者の入室を拒絶する。さらにまた、照合により指紋データの特徴点を確認した場合、主制御部６は、部屋２（右側の部屋）の利用者の入室を許可し、電気錠制御部５に電気錠制御信号を出力し、部屋２の電気錠を解錠させる（ステップＳ５）。
【００２２】
上記のような通行制御装置では、通行制御装置本体３が利用者の指紋データと読取プレートにおける読取位置とにより読取位置に対応した部屋１，２への利用者の入室を許可したので、１台の通行制御装置本体３で第１及び第２の電気錠制御部４，５を制御することができ、設置コストを軽減させるとともに、スペースの利用効率を向上させることができる。
【００２３】
なお、実施の形態１では、指紋データ読取の読取位置が読取プレートの中心の左右のどちらにずれているかを確認していたが、位置基準点を指紋読取部に設定し、位置基準点に対して指紋データの読取位置がずれている点を確認できれば、左右の方向に限らずどの方向でもよい。
【００２４】
実施の形態２．
次に、実施の形態２について説明する。指紋データ記憶部８には、同一の利用者の左手の指の指紋と、右手の指の指紋との２種類の指紋データが管理区画（部屋１又は部屋２）に対応付けて記憶（登録）されている。例えば、左手の指紋データは、部屋１（左側の部屋）に対応しており、右手の指紋データは、部屋２（右側の部屋）に対応付けて記憶されている。また、実施の形態１では、主制御部６が読取プレートにおける読取位置を検出し、読取位置に対応した管理区画への通行を許可したが、実施の形態２では、主制御部６は、指紋データのみを用いて指紋データに対応する管理区画への利用者の通行を許可する。さらに、その他の構成は実施の形態１と同様である。
【００２５】
次に、動作について説明する。図４は、この発明の実施の形態２による主制御部６の指紋データに対応する管理区画判別時の動作を示すフローチャートである。まず、主制御部６は、指紋データ読取部７から指紋データを受けると、指紋データの特徴点が指紋データ記憶部８に記憶されているかどうか照合する（ステップＳ６）。照合により読み取った指紋データを確認できなかった場合、主制御部６は、そのまま終了となり、各電気錠の施錠状態を維持させ、利用者の入室を拒絶する。
【００２６】
また、照合により読み取った指紋データを確認した場合、照合時の指紋データに対応する管理区画が部屋１であるか部屋２であるかを確認する（ステップＳ７）。部屋１（左側の部屋）の場合、主制御部６は、部屋１への利用者の入室を許可し、電気錠制御部４に電気錠制御信号を出力し、部屋１の電気錠を解錠させる（ステップＳ８）。部屋２（右側の部屋）の場合、主制御部６は、部屋２への利用者の入室を許可し、電気錠制御部５に電気錠制御信号を出力し、部屋２の電気錠を解錠させる（ステップＳ９）。
【００２７】
上記のような通行制御装置では、通行制御装置本体３が利用者の指紋データに対応する部屋１，２への利用者の入室を許可したので、１台の通行制御装置本体３で第１及び第２の電気錠制御部４，５を制御することができ、設置コストを軽減させることができるとともに、スペースの利用効率を向上させることができる。
【００２８】
なお、実施の形態１では、指紋データに左手及び右手の指紋を用いたが、同一人物であれば左手及び右手に限定するものではない。例えば、人差し指と中指との指紋を登録し、人差し指と中指とで互いに異なる管理区画への通行を許可してもよい。
【００２９】
また、実施の形態１，２では、生体情報に指紋データを用いたが、指紋データに限るものではなく、例えば、生体情報には、掌紋データ、虹彩データ、静脈データ及び顔画像データ（右顔と左顔）等を用いてもよい。
【００３０】
さらに、実施の形態１，２では、通行制御装置本体３が監視する管理区画は、部屋１，２の２カ所であったが、２カ所に限定するものではない。さらにまた、通行制御装置本体に表示部を追加し、利用者の認証結果、及び利用者の入室を許可する管理区画を表示部に表示させてもよい。
【図面の簡単な説明】
【００３１】
【図１】この発明の実施の形態１による通行制御装置の設置状態を示す説明図である。
【図２】図１の通行制御装置本体の具体的な構成を示すブロック図である。
【図３】読取位置に対応する管理区画判別時の主制御部の動作を示すフローチャートである。
【図４】この発明の実施の形態２による主制御部の指紋データに対応する管理区画判別時の動作を示すフローチャートである。
【符号の説明】
【００３２】
１，２  部屋（管理区画）、３  通行制御装置本体、７  指紋データ読取部（生体情報読取面）。
【図１】
2007077708.tif 000003
【図２】
2007077708.tif 000004
【図３】
2007077708.tif 000005
【図４】
2007077708.tif 000006